(57)【要約】【課題】撮影した静止画像をデータ転送することなくパーソナルコンピュータで見ることができるカメラ装置を提供する。【解決手段】被写体を撮像した撮像手段が出力した画像信号から第１の画像データ（本体画像ファイル）を生成する手段と、第１の画像データに対応する第２の画像データ（サムネイル画像ファイル）を生成する手段と、第１及び第２の画像データを光ディスクに、パーソナルコンピュータに装備された光ディスクドライブにおいて再生可能なフォーマットで記録する記録制御手段とを有するカメラ装置を構成する。記録制御手段は、第１の画像データを光ディスクのデータ領域の先頭側から順に記録し、その後の領域に個々の画像の第２の画像データをまとめて記録するように制御する。【選択図】図３
2008118642.tif 000002
【特許請求の範囲】
【請求項１】
被写体を撮像して画像信号を出力する撮像手段と、
前記撮像手段より出力される画像信号から第１の画像データを生成する第１の画像データ生成手段と、
前記第１の画像データに対応する第２の画像データを生成する第２の画像データ生成手段と、
前記撮像手段の撮像動作に応じて生成される前記第１及び第２の画像データを、追記型光ディスク又は書き換え可能な光ディスクに、パーソナルコンピュータに装備された光ディスクドライブにおいて再生可能なフォーマットで記録する記録制御手段とを有し、
前記第１の画像データは本体画像ファイルであり、
前記第２の画像データはサムネイル画像ファイルであり、
前記記録制御手段は、前記第１の画像データを、前記追記型光ディスク又は書き換え可能な光ディスクのデータ領域の先頭側から順に記録し、前記第１の画像データの領域の後の領域に個々の画像の前記第２の画像データをまとめて記録するように制御することを特徴とするカメラ装置。
【発明の詳細な説明】
【技術分野】
【０００１】
本発明は、カメラ装置に関し、詳しくは被写体の画像をデジタル化して静止画像データの形態で記録するカメラ装置に関する。
【背景技術】
【０００２】
近年、パーソナルコンピュータの普及等により、画像記録装置として画像をデジタル化して記録するデジタルカメラ装置の人気が高まっている。このデジタルカメラ装置は、被写体となる画像をデジタル化してフラッシュメモリー等の所定の記録媒体に所定枚数分だけ静止画像データとして記録しておき、後でこの静止画像をパーソナルコンピュータのモニタに出力することができるようになっているものが一般的である。
【発明の開示】
【発明が解決しようとする課題】
【０００３】
従来のデジタルカメラ装置は、その画像データの記録媒体として、本体内蔵型のフラッシュメモリーや抜き差し可能なカード型のフラッシュメモリー等が使用されていた。
【０００４】
しかしながら、従来のデジタルカメラ装置においては、これらのメモリーがその撮影枚数１枚あたりの単価が高く保存メディアとして適していないことから、撮影後にパーソナルコンピュータにおけるハードディスクやフロッピーディスク等に撮影した静止画像データを転送してコピーする必要があり、このデータ転送に多くの時間と手間が必要とされた。また、従来のデジタルカメラ装置においては、これらのメモリーの価格が高くユーザーが何枚も保有することができないため、撮影枚数が制限され、特にパーソナルコンピュータを持ち出せない屋外等での撮影の機会が大幅に制限されるといった問題があった。
【０００５】
本発明は、上述の実状に鑑みて提案されたものであり、パーソナルコンピュータにデータ転送することなく撮影した静止画像を当該パーソナルコンピュータで見ることができるカメラ装置を提供することを目的とする。
【課題を解決するための手段】
【０００６】
本発明のカメラ装置は、被写体を撮像して画像信号を出力する撮像手段と、この撮像手段より出力される画像信号から第１の画像データを生成する第１の画像データ生成手段と、この第１の画像データに対応する第２の画像データを生成する第２の画像データ生成手段と、撮像手段の撮像動作に応じて生成される第１及び第２の画像データを、追記型光ディスク又は書き換え可能な光ディスクに、パーソナルコンピュータに装備された光ディスクドライブにおいて再生可能なフォーマットで記録する記録制御手段とを有し、第１の画像データは本体画像ファイルであり、第２の画像データはサムネイル画像ファイルであり、記録制御手段は、第１の画像データを、追記型光ディスク又は書き換え可能な光ディスクのデータ領域の先頭側から順に記録し、第１の画像データの領域の後の領域に個々の画像の第２の画像データをまとめて記録するように制御するものである。
【０００７】
上述の本発明の構成によれば、記録制御手段により、追記型光ディスク又は書き換え可能な光ディスクのデータ領域の先頭側から順に本体画像ファイル（第１の画像データ）が記録され、この本体画像ファイル（第１の画像データ）の領域の後の領域に、個々の画像サムネイル画像ファイル（第２の画像データ）がまとめて記録される。そして、本体画像ファイル（第１の画像データ）及び画像サムネイル画像ファイル（第２の画像データ）が追記型光ディスク又は書き換え可能な光ディスクに、パーソナルコンピュータに装備された光ディスクドライブにおいて再生可能なフォーマットで記録される。
【発明の効果】
【０００８】
上述の本発明によるカメラ装置によれば、記録制御手段により、追記型光ディスク又は書き換え可能な光ディスクのデータ領域の先頭側から順に本体画像ファイル（第１の画像データ）が記録され、この本体画像ファイル（第１の画像データ）の領域の後の領域に、個々の画像サムネイル画像ファイル（第２の画像データ）がまとめて記録されるので、本体画像ファイルとサムネイル画像ファイルとが相互に光ディスクの物理的に分離した領域に記録され、かつサムネイル画像データが光ディスクのデータ領域の一端側から連続して記録されるので、複数のサムネイル画像データの読み出しをあたかも単一のファイルであるかのように迅速に行うことが可能となり、この読み出しに要する時間が大幅に短縮される。また、サムネイル画像データだけが一まとまりの状態で記録されるので、余分なデータ処理が不要となる。さらには、本体画像ファイルにサムネイル情報を持たせる必要がないため、本体画像ファイルのファイルフォーマットに依存する必要がない。
【０００９】
また、媒体の価格が比較的安くユーザが何枚も保有することができるため、撮影枚数の制限から解放される。
【発明を実施するための最良の形態】
【００１０】
本発明は、被写体を撮像して画像信号を出力する撮像手段と、この撮像手段より出力される画像信号から第１の画像データを生成する第１の画像データ生成手段と、この第１の画像データに対応する第２の画像データを生成する第２の画像データ生成手段と、撮像手段の撮像動作に応じて生成される第１及び第２の画像データを、追記型光ディスク又は書き換え可能な光ディスクに、パーソナルコンピュータに装備された光ディスクドライブにおいて再生可能なフォーマットで記録する記録制御手段とを有し、第１の画像データは本体画像ファイルであり、第２の画像データはサムネイル画像ファイルであり、記録制御手段が、第１の画像データを、追記型光ディスク又は書き換え可能な光ディスクのデータ領域の先頭側から順に記録し、第１の画像データの領域の後の領域に個々の画像の第２の画像データをまとめて記録するように制御するカメラ装置である。
【００１１】
本発明の一実施の形態としてデジタルカメラ装置の正面側からの外観図を図１に示す。
このデジタルカメラ装置１は、全体略直方体状の外形を呈した携帯可能な大きさとなっている。このデジタルカメラ装置１においては、筐体２の正面側上部にシャッターボタン３、対物レンズ４、フラッシュ５がそれぞれ取り付けられており、ユーザーの右手人差し指でシャッターボタン３が押せるようになっている。
【００１２】
また、デジタルカメラ装置１は、筐体２の一方の側面部６に開閉蓋７が取り付けられており、この側面部６側から直径８０ｍｍサイズの光ディスク９（以下、光ディスク９という。）が筐体２の内部に装填できるようになっている。
【００１３】
尚、図１及び図２において光ディスク９に並べて示すようなディスクカートリッジ８の内部に光ディスク９を収納して、この光ディスク９が収納されたディスクカートリッジ８を筐体２の内部に装填するようにデジタルカメラ装置１を構成してもよい。
【００１４】
具体的には、図２にこのデジタルカメラ装置１の背面側からの外観を示すように、筐体２の内部に詳細を後述する光ディスクドライブ（ＯＤＤ）３２が配設されており、この光ディスクドライブ３２のディスク挿入口（又はカートリッジ挿入口）３２ａから光ディスク９（又はディスクカートリッジ８）が挿入される。
【００１５】
さらに、このデジタルカメラ装置１は、筐体２の背面側にＬＣＤ（Liquid Crystal Display）パネル１１が取り付けられており、撮影時にはこのＬＣＤパネル１１に被写体が表示されるようになっている。
そして、デジタルカメラ装置１においては、シャッターボタン３を押すことにより被写体を撮影すると、光ディスクドライブ３２に装填された光ディスク９に当該被写体についての画像データ（以下、本体画像データという。）及びこの本体画像データについてのインデックスとなるサムネイル画像データが、それぞれ「．ＪＰＧ」及び「．４１１」の拡張子を持ったファイル形式で記録される。
【００１６】
また、デジタルカメラ装置１は、被写体の撮影後における本体画像データの再生時には、光ディスク９に記録されたサムネイル画像データについてのサムネイル画像が所定枚数、本実施の携帯のデジタルカメラ装置１では６枚分だけＬＣＤパネル１１に表示され、このうちの特定のサムネイル画像を指定することにより、そのサムネイル画像に対応する本体画像データが光ディスク９から読み出されてＬＣＤパネル１１に表示されるようになっている。
【００１７】
さらに、デジタルカメラ装置１は、書き換え可能な光ディスク９に対して、例えば光ディスク９に記憶された本体画像データ及びサムネイル画像データのうち不要なものを消去したり、ＬＣＤパネル１１に表示されるサムネイル画像の並べ方を変更するといった種々の編集ができるようになっている。
【００１８】
即ち、デジタルカメラ装置１においては、ＬＣＤパネル１１の周囲に種々の操作ボタン／スイッチ１２ａ，１２ｂ，１２ｃ，１２ｄ，１２ｅ，１２ｆ，１２ｇ等が配設されており、これら各種操作ボタン等を操作することによって撮影時におけるズーム等の操作、再生時における特定のサムネイル画像の指定、データ消去等の編集ができるようになっている。
【００１９】
尚、開閉蓋７の開閉は、開閉操作部１３を上下動させることによって、この開閉操作部１３と連動する係合爪１４ａ，１４ｂと開閉蓋７の係合部７ａ，７ｂとの係合状態を解除又は保持させることにより行う。
【００２０】
次に、デジタルカメラ装置１の回路構成について説明する。
このデジタルカメラ装置１は、図３に示すように、撮像素子であるＣＣＤ２１と、サンプルホールド／アナログデジタル変換回路２２（以下、単にサンプルホールド回路２２という。）と、カメラ信号処理回路２３と、ＤＲＡＭ２４と、ＤＲＡＭコントローラ２５と、上述のＬＣＤパネル１１にＲＧＢ信号を供給するためのパネル信号処理回路２６と、操作入力部２７と、マイクロコンピュータ２８（以下、マイコン２８という）と、光ディスクコントローラ（ＯＤＣ）３１と、図２で上述した光ディスクドライブ３２とを備えて構成される。尚、ＤＲＡＭ２４，ＤＲＡＭコントローラ２５，マイコン２８，及びＯＤＣ３１は、相互に共通のバスによって接続される。
【００２１】
デジタルカメラ装置１においては、被写体からの光線が対物レンズ４を通過してＣＣＤ２１で受光され、このＣＣＤ２１によって電気信号に変換される。ＣＣＤ２１からの出力信号は、サンプルホールド回路２２でサンプルホールド処理された後に１０ビットのデジタル信号にＡ／Ｄ変換される。Ａ／Ｄ変換されたこの１０ビットのデジタル信号は、カメラ信号処理回路２３に供給される。
【００２２】
カメラ信号処理回路２３は、サンプルホールド回路２２から供給される１０ビットのデジタル信号に所定の処理を施して、処理後の信号をＤＲＡＭコントローラ２５に出力する。カメラ信号処理回路２３は、本実施の形態では入力信号から８ビットの輝度信号Ｙと４ビットの色差信号Ｃを生成し、これら各信号Ｙ，ＣをＤＲＡＭコントローラ２５に出力するようになっている。
【００２３】
ＤＲＡＭコントローラ２５は、カメラ信号処理回路２３からの輝度信号Ｙと色差信号Ｃをそのままパネル信号処理回路２６に供給する。
尚、ＣＣＤ２１が正方格子ではない場合には、ＤＲＡＭコントローラ２５は、カメラ信号処理回路２３からの輝度信号Ｙと色差信号Ｃを正方格子化してパネル信号処理回路２６に供給する。パネル信号処理回路２６は、入力した輝度信号Ｙと色差信号Ｃから赤色信号Ｒ，緑色信号Ｇ，青色信号Ｂを生成し、これらＲＧＢの各色信号ＬＣＤパネル１１に出力する。これにより、撮像対象となる被写体の画像がＬＣＤパネル１１に表示される。
【００２４】
また、ＤＲＡＭコントローラ２５は、カメラ信号処理回路２３からの輝度信号Ｙと色差信号Ｃとを詳細を後述するマイコン２８の制御信号に基づいてＤＲＡＭ２４の所定領域に格納する。
【００２５】
操作入力部２７は、図１に示したシャッターボタン３及び図２に示した各種操作ボタン／スイッチ１２ａ〜１２ｇ等の操作内容を検出し、検出した信号を操作信号としてマイコン２８に出力する。
【００２６】
マイコン２８は、例えば高速処理が可能なＲＩＳＣ（Reduced Instruction Set Computer：縮小命令セットコンピュータ）タイプのものが用いられ、各ブロックを制御するためのソフトウエアプログラムが格納されたリードオンリーメモリ（ＲＯＭ）２８ａを備えている。マイコン２８は、操作入力部２７からの操作信号に基づいてこのＲＯＭ２８ａ内のソフトウエアプログラムを実行させることにより、上述した撮影時、再生時、及び編集時における画像圧縮／伸張やファイル管理等の処理を行う。
【００２７】
具体的には、マイコン２８は、被写体の撮影時において輝度信号Ｙと色差信号ＣをＤＲＡＭコントローラ２５からＤＲＡＭ２４の所定領域に格納させ、格納された輝度信号Ｙと色差信号ＣをＪＰＥＧ（Joint Photographic coding Experts Group）方式でデータ圧縮する処理を行う。また、マイコン２８は、ＪＰＥＧ方式で圧縮した本体画像についてのデータをＤＲＡＭ２４の上記領域とは異なる領域にＪＰＥＧストリームデータとして書き込む処理を行う。さらに、マイコン２８は、当該ＪＰＥＧストリームデータをＤＲＡＭ２４から読み出して、このＪＰＥＧストリームデータをＩＳＯ９６６０（International Organization for Standardization 9660 ：CD ROM論理フォーマット）フォーマット形式に変換してＯＤＣ３１に供給する処理を行う。そして、マイコン２８は、このＩＳＯ９６６０フォーマット形式に変換したデータを光ディスクドライブ３２に装填された（ディスクカートリッジ８内の）光ディスク９に書き込むようにＯＤＣ３１を制御する。
【００２８】
ここで、図４に図３の光ディスクコントローラ（ＯＤＣ）３１内のブロック図を示す。
光学ピックアップ７０には、ＬＤ（半導体レーザダイオード）のドライバ、受光素子のＰＤＩＣ（フォトダイオードＩＣ）を備えて構成される。
制御ブロックとしては、アナログ検出部Ｂ１、記録サーボ部Ｂ２、インターフェース部Ｂ３、コントローラ部Ｂ４、ドライバ部Ｂ５の５つのブロックを有して構成されている。尚、各部内の詳細については詳しい説明を省略する。
【００２９】
アナログ検出部Ｂ１では、光学ピックアップ７０において得られた検出信号を処理し、記録サーボ部Ｂ２に伝達する。
記録サーボ部Ｂ２においては、入ってきた信号を基にインターフェース部Ｂ３に出力用の信号を渡すと共に、ドライバ部Ｂ５へスピンドルモータやスレッドモータ、フォーカス／トラッキング制御、光ディスクの出し入れ等の制御信号を送る。
ドライバ部Ｂ５では制御信号を基にこれらスピンドルモータやスレッドモータ、フォーカス／トラッキング制御、光ディスクの出し入れの駆動を行う信号を出力する。
一方、インターフェース部Ｂ３では、装置外部との信号のやりとりを行えるように出力信号を加工して出力する。このインターフェース部Ｂ３において、図３で示したようにマイコン２８からの操作信号やＤＲＡＭコントローラ２５からのデータの受け取りが行われる。
コントローラ部Ｂ４は、記録サーボ部Ｂ２とインターフェース部Ｂ３の制御を行う。
【００３０】
また、本実施の形態の光ディスク装置３０を電子スチルカメラに適用した場合には、この他に画像情報を入力するためのカメラブロックを有して構成される。
図５にカメラブロックと周辺のブロック図を示す。カメラブロック８０は、対物レンズ４を含む例えば複数のレンズからなるレンズユニットと、ＣＣＤ２１とを有して構成される。
また、カメラブロック８０に対する制御を行うブロックとしては、カメラタイミングジェネレータ（ＴＧ）８２とレンズアクチュエータ８３と、これらに制御信号を送り制御を行うカメラ制御ＭＰＵ８４と、前述のマイコン２８を有して構成される。
【００３１】
ＣＣＤ２１には、カメラ制御ＭＰＵ８４からの制御信号により、カメラＴＧ８２において転送や駆動のためのタイミングパルスが作製され、画像の読み出しや転送がなされる。
また、レンズユニット８１には、カメラ制御ＭＰＵ８４からの制御信号により、レンズアクチュエータ８３において、オートフォーカス等焦点・絞り・露出等についての制御が行われる。
【００３２】
カメラ制御ＭＰＵ８４とマイコン２８との間では、操作状況等の情報がやりとりされる。前述の図３に示したカメラ信号処理２３やＤＲＡＭコントローラ２５のブロックについても同様にマイコン２８と情報がやりとりされる。
尚、カメラ制御ＭＰＵ８４は、マイコン２８と兼用する構成を採ってもよい。
【００３３】
さらに、ＣＤ−Ｒ等の書き込み可能な光ディスクを使用している場合において、何らかの原因により書き込みエラーが発生しても、その領域の次の領域に再度データを書き込むこととし、かつ全てのデータの書き込みが終了した時点においてはエラーを起こした領域はあたかも存在しなかった如く、連続した正しいデータを読み出すことができるように制御ブロックを構成することが望ましい。
【００３４】
図６は、マイコン２８のアドレス空間を示した図である。マイコン２８は、図６に示すように、0000000 〜0ffffff のエリアが内蔵ＲＯＭ領域、2000000 〜2ffffff のエリアがＯＤＣ３１のための領域、5000000 〜5ffffff のエリアが内蔵している周辺モジュールのための領域、9000000 〜9ffffff のエリアがＤＲＡＭ２４のための領域、e000000 〜effffff のエリアが後述するフラッシュメモリのための領域、f000000 〜fffffff のエリアが内蔵ＲＡＭの領域になっている。
【００３５】
図７は、上述した合計８メガバイトのＤＲＡＭ２４のデータ領域を表した図である。ＤＲＡＭ２４は、領域9f00000 〜9f77fff の４９１０２５バイトがＬＣＤパネル１１に表示するための本体画像１枚分の画像データを格納するための原画画像データ格納領域（以下、領域Ａという。）になっている。また、ＤＲＡＭ２４は、9f78000 〜9f7ffff の３２７６８バイトがＪＰＥＧ方式によって上記原画画像データの圧縮処理又は原画画像データへの展開処理を行うための圧縮・展開作業領域（以下、領域Ｂという。）になっている。尚、この領域Ｂは、上記原画画像データからサムネイルデータを生成するための領域にもなっている。
【００３６】
そして、ＤＲＡＭ２４は、領域9f80000 〜9f87fff の３２７６８バイトがマイコン２８が詳細を後述する記録時及び再生時のメインルーチンを実行するための作業領域であるメインルーチン共通領域（以下、領域Ｃという。）になっている。
【００３７】
また、ＤＲＡＭ２４は、領域9f90000 〜9fcffff の２６２１４４バイトが複数（例えば５０枚分）のサムネイル画像データのファイルが格納されるサムネイルイメージ格納領域（以下、領域Ｅという。）に、領域9fd0000 〜9ffffff の１９６０８バイトがＪＰＥＧ方式によって圧縮されて生成された本体画像データのファイルが格納されるＪＰＥＧファイルイメージ格納領域（以下、領域Ｆという。）にそれぞれ割り当てられている。
【００３８】
次に、デジタルカメラ装置１におけるデータ記録時の制御動作について図８のフローチャートを参照して説明する。
【００３９】
電源投入後のステップＳ１で、マイコン２８は、光ディスク９（又はディスクカートリッジ８）が装填されているかどうかを判断し、装填されていると判断された場合はステップＳ３に進み、一方、装填されていないと判断された場合はステップＳ２に進む。
【００４０】
マイコン２８は、ステップＳ２において、ＬＣＤパネル１１に「ＮＯ  ＤＩＳＫ」の文字を表示させてユーザーに警告すると共に、光ディスク９（又はディスクカートリッジ８）が装填されるまで待機する。
【００４１】
ステップＳ３で、マイコン２８は、光ディスク９への書き込みが可能かどうかについて判断するため、光ディスク９（又はディスクカートリッジ８）にライトプロテクトがかけられているか否かを検出し、かけられている場合はステップＳ４に進み、かけられていない場合はステップＳ５に進む。
【００４２】
マイコン２８は、ステップＳ４において、書き込みできない旨の警告を行い、処理を終了させる。具体的には、ＬＣＤパネル１１に「ＤＩＳＫ ＰＲＯＴＥＣＴ」等の文字を表示させるようにする。
【００４３】
ステップＳ５において、マイコン２８は、ＯＤＣ３１を制御して光ディスクドライブ３２により光ディスク９の１６セクタ（１セクタ＝２Ｋバイト）を再生し、このトラックにおけるルートディレクトリ領域や、パステーブル情報を読み込むことにより、光ディスク９のデータ領域に存在するファイル名やそのアドレス等の各種情報を抽出する。
【００４４】
マイコン２８は、続くステップＳ６で、ファイルリストテーブル（ＦｉｌｅＬｉｓｔ Ｔａｂｌｅ）を作成し、このテーブルにステップＳ５で抽出された各種情報を列挙してステップＳ７に進む。
【００４５】
ステップＳ７で、マイコン２８は、光ディスク９がＩＳＯ９６６０でフォーマットされているか否かをチェックし、ＹＥＳの場合はステップＳ９に進み、ＮＯの場合はステップＳ８に進む。
【００４６】
光ディスク９がＤＯＳ／Ｖ方式でフォーマットされていない場合のステップＳ８において、マイコン２８は、ＬＣＤパネル１１に「ＤＩＳＫ ＥＲＲＯＲ」の文字を表示させて処理を終了させる。
【００４７】
マイコン２８は、ステップＳ９において、レリーズが入力されるまで待機する。即ち、図１に示すシャッターボタン３が押されるまでステップＳ９で待機し、シャッターボタンが押された場合にステップＳ１０に進む。
【００４８】
ステップＳ１０で、マイコン２８は、被写体を撮影することにより得られた画像データをＤＲＡＭ２４の図７に示す領域Ａに格納することにより、本体画像を取り込む処理を行う。
【００４９】
次のステップＳ１１において、マイコン２８は、ＤＲＡＭ２４の領域Ａに格納した画像データを領域ＢでＪＰＥＧ方式によって圧縮する処理を行うことにより本体画像データを生成し、生成された本体画像データをＤＲＡＭ２４の領域Ｆにファイル形式で格納する。
【００５０】
続くステップＳ１２において、マイコン２８は、ステップＳ１０で取り込んだ本体画像のデータを画素単位で所定データ量に間引くことにより、本体画像のサブサンプルであるサムネイル画像データを生成し、このサムネイル画像データをＤＲＡＭ２４の領域Ｂにファイル形式で格納する。尚、このデジタルカメラ装置１では、このサムネイル画像ファイルが所定容量となるように上記データの間引きが行われる。
【００５１】
次のステップＳ１３で、マイコン２８は、各データの記録に先立って光ディスク９の残りの記録容量を、例えば上記ファイルリストテーブルを参照する等の手段により調べる。そして、マイコン２８は、この残りの記録容量とステップＳ１１及びステップＳ１２でそれぞれ領域Ｆ及び領域Ｅに格納された本体画像データとサムネイル画像データとの合計の容量とを比較して、光ディスク９の残量が足りるか否かについて判断する。残量が足りると判断された場合はステップＳ１５に進み、足りないと判断された場合はステップＳ１４に進む。
【００５２】
ステップＳ１４において、マイコン２８は、「ＤＩＳＫ ＦＵＬＬ」等の文字をＬＣＤパネル１１に表示させることにより、ユーザーに警告を発して後述するステップＳ２３に進む。
【００５３】
マイコン２８は、ステップＳ１５において、光ディスク９に既に記録されているファイルの数を上記ファイルリストテーブルを参照して調べ、ファイル数の制限を受けるか否かについて判断する。ファイル数に制限を受ける場合、即ちこれ以上ファイル名を追加できない場合はステップＳ１４に進み、制限を受けない場合はステップＳ１６に進む。
【００５４】
即ち、上述のステップＳ１３及びステップＳ１５では、現在の光ディスク９の状態で本体画像ファイルとサムネイル画像ファイルとを記録させることができるか否かが判断されたことになる。
【００５５】
マイコン２８は、ステップＳ１６において、本体画像ファイルとサムネイル画像ファイルのそれぞれについてファイル名を作成する。このファイル名は、図９に示すように、本体画像ファイルの一番目については「ＭＶＳ−００１Ｓ．ＪＰＧ」というファイル名となる。一方、この本体画像ファイルに対応する１番目のサムネイル画像ファイルとしては、「ＭＶＳ−００１Ｓ．４１１」というファイル名となる。即ち、「ＪＰＧ」「４１１」がそれぞれ本体画像ファイル、サムネイル画像ファイルの拡張子であり、本体画像ファイルとサムネイル画像ファイルとでは、この拡張子のみが異なり他の部分は同一のファイル名となる。
【００５６】
ここで「ＭＶＣ−」の部分は、各本体画像ファイルと各サムネイル画像ファイルとの間で共通に付されるいわゆる名称固定部分となる。また、「００１」の部分は、通し番号であり、上述のファイルリストテーブルを参照することにより、各本体画像ファイル及び各サムネイル画像ファイル毎に異なる数字が付される。この通し番号は、００１から９９９まであり、ディスク上の最大の番号に１を加えた数を新しい番号とする。尚、ファイルリストテーブルを参照することにより、９９９という通し番号の本体画像ファイル又はサムネイル画像ファイルがあった場合は、００１からの使われていない番号を割り当てるようにする。
【００５７】
さらに、「Ｓ」の部分は本体画像ファイルのデータの圧縮率の程度を表す部分であり、この場合は本体画像ファイルが標準の圧縮を施したデータから成るファイルであることを示している。尚、本体画像ファイルが高画質用の圧縮を施したデータからなるファイルの場合は、この部分が「Ｆ」となる。
【００５８】
次のステップＳ１７において、マイコン２８は、本体画像ファイルを光ディスク９の所定領域に記録するための本体画像ファイルアロケーションを作成する。具体的には光ディスク９の内周側から領域を確保することにより、上記本体画像ファイルを記録する領域を決定し記憶する。
【００５９】
続くステップＳ１８において、マイコン２８には、ＯＤＣ３１を制御することにより、ステップＳ１７で決定された光ディスク９上の領域に対して本体画像ファイルを光ディスクドライブ３２で書き込む処理を行う。
【００６０】
さらに、マイコン２８は、次のステップＳ１９において、サムネイル画像ファイルを光ディスク９の所定領域に記録するためのサムネイル画像ファイルアロケーションを作成する。
【００６１】
そして、マイコン２８は、次のステップＳ２０で、上記ファイルリストテーブルに上記２つのファイルについての情報を追加することにより、このファイルリストテーブルを変更し、ステップＳ２１に進む。
【００６２】
ステップＳ２１で、マイコン２８は、サムネイル画像ファイルをＤＲＡＭ２４の領域Ｂから領域Ｅに転送する。マイコン２８は、このステップＳ２１の処理が終了した後にステップＳ２２のディスクＥＪＥＣＴ入力確認を行い、入力されている場合にはステップＳ２３のサムネイル画像ファイル書き込み、ステップＳ２４のＤＩＲ、Ｆｉｌｅ情報書き込み、ステップＳ２５のセッションを閉じる処理を行い終了する。ＥＪＥＣＴ入力されていない場合にはステップＳ９のレリーズ入力待ち状態に戻る。
【００６３】
以上の処理により、光ディスク９のデータ領域には、図１１に示すように、本体画像ファイルとサムネイル画像ファイルがそれぞれ記録される。尚、ここでは説明の便宜のため、本体画像ファイル及びサムネイル画像ファイルのファイル名をＡ．ＪＰＧ，Ｂ．ＪＰＧ・・・及びＡ．４１１，Ｂ．４１１・・・と略記する。図１１は、４つの本体画像ファイルＡ．ＪＰＧ，Ｂ．ＪＰＧ，Ｃ．ＪＰＧ，Ｄ．ＪＰＧをこの順で記録した場合に、それらに対応するサムネイル画像ファイルＡ．４１１，Ｂ．４１１，Ｃ．４１１，Ｄ．４１１が記録された様子を表したものである。
【００６４】
即ち、このデジタルカメラ装置１においては、本体画像ファイルはディスクのデータ領域の先頭から順に記録及び配列されるが、サムネイル画像ファイルはディスクＥＪＥＣＴ時に本体画像ファイルの後にまとめて書き込むようにしている。
【００６５】
このように、いわゆる空の状態の光ディスク９に対して各データを記録する場合については、本体画像ファイルとサムネイル画像ファイルとが相互に光ディスク９の物理的に分離した領域に記録され、かつサムネイル画像データが光ディスク９のデータ領域の一端側から連続して記録されるので、複数のサムネイル画像データの読み出しをあたかも単一のファイルであるかのように迅速に行うことが可能となり、この読み出しに要する時間が大幅に短縮される。
【００６６】
また、サムネイル画像データだけが一まとまりの状態で記録されるので、余分なデータ処理が不要となる。さらには、本体画像ファイルにサムネイル情報を持たせる必要がないため、本体画像ファイルのファイルフォーマットに依存する必要がない。
【００６７】
次に、デジタルカメラ装置１における再生時のサムネイル画像ファイルの読み出し制御について、図１２のフローチャートを参照して説明する。
【００６８】
デジタルカメラ装置１においては、サムネイル読み出しモードに入った後に、以下に説明するステップＳ３１ないしステップＳ４０の一連の処理を実行する。
【００６９】
マイコン２８は、ステップＳ３１において、ＯＤＣ３１を制御して光ディスクドライブ３２により光ディスク９のＰＶＤ（１６セクタ目の情報）を再生し、サムネイルファイルについての情報の読み出しを開始して、ステップＳ３２に進む。
【００７０】
マイコン２８は、ステップＳ３２において、有効なサムネイル画像ファイルのファイル名を抽出する処理を行う。具体的には、上記ＰＶＤからルートディレクトリ情報やファイル管理情報を参照してサムネイル画像ファイルと本体画像ファイルとの対応関係を調べ、対応する本体画像ファイルが存在するか否か等によりサムネイル画像ファイルが有効かどうかを判別し、有効なサムネイル画像ファイルのファイル名のみを抽出する。また、サムネイル画像ファイルと本体画像ファイルとの対応関係を調べた場合に所定の本体画像ファイルに対応するサムネイル画像ファイルがない場合は、当該本体画像ファイルのファイル名等の情報を記憶しておく。
【００７１】
次のステップＳ３３において、マイコン２８は、ＯＤＣ３１を制御して、抽出された有効なサムネイル画像ファイルのファイル名を光ディスク９の物理的なアドレス順に並べる。
【００７２】
次のステップＳ３４において、マイコン２８は、各サムネイル画像ファイルのアドレスと本体画像ファイルとを関連づけるための、詳細を後述するサムネイル管理テーブルを作成する。尚、ステップＳ３２で述べた所定の本体画像ファイルに対応するサムネイル画像ファイルがない場合には、このサムネイル管理テーブル作成の際に当該所定の本体画像ファイルに詳細を後述するブランクイメージデータを割り当てるようにする。
【００７３】
マイコン２８は、続くステップＳ３５において、ＯＤＣ３１を制御して光ディスクドライブ３２によりサムネイル画像ファイルを光ディスク９から一つ読み出してＤＲＡＭ２４の図７に示す領域Ｅに格納した後に、ステップＳ３６に進む。
【００７４】
ステップＳ３６において、マイコン２８は、ステップＳ３５の処理が正常に終了したか、すなわち、一つのサムネイル画像ファイルが正常に読み出されたかについて判断する。正常に終了したと判断された場合はステップＳ３８に進み、正常に終了していないと判断された場合はステップＳ３７に進む。
【００７５】
ステップＳ３６の処理が正常に終了していないと判断された場合のステップＳ３７において、マイコン２８は、サムネイル画像ファイルが存在していないものとして処理を行い、ステップＳ３８に進む。具体的には、上記サムネイル管理テーブルを変更して、上記ブランクイメージに対応させるためのポインタを設定する。
【００７６】
ステップＳ３８において、マイコン２８は、サムネイル画像ファイルを最後まで読み出したか否かについて判断し、ＹＥＳの場合はステップＳ４０に進んで処理を終了させ、ＮＯの場合はステップＳ３９に進む。
【００７７】
ステップＳ３９において、マイコン２８は、次のサムネイル画像ファイルを読み出す準備を行い、上述したステップＳ３５に戻る。これにより、マイコン２８は、有効な全てのサムネイル画像ファイルが読み出されるまでステップＳ３５ないしステップＳ３９の処理を繰り返すことになる。
【００７８】
次に、デジタルカメラ装置１の内部の機械的な構成について説明する。このデジタルカメラ装置１は、図１６に示すように、その筐体が正面側ハーフ２ａと背面側ハーフ２ｂとに分解可能となっており、これら各ハーフ２ａ，２ｂの内部側に回転回路４１、シャーシ４２、図３で説明した光ディスクドライブ３２が配設される。具体的には回路基板４１とシャーシ４２と光ディスクドライブ３２は、相互に略等しい略矩形の平面形状を呈しており、この矩形形状同士が重なるようにして筐体２の内部に配設される。
【００７９】
更に具体的には、図１６に示すように、回路基板４１は、その４隅部がシャーシ４２の正面側ハーフ２ａを臨む一方の主面に複数のネジ４３によって固定される。また、光ディスクドライブ３２は、詳細を後述する４つの緩衝部材４５，４６，４７及び４８を介してシャーシ４２の背面側ハーフ２ｂを臨む他方の主面に対峙して取り付けられる。そしてこれら回路基板４１及び光ディスクドライブ３２が取り付けられたシャーシ４２が、筐体２の正面側ハーフ２ａに上側からはネジ４４で、また図示を省略するが側面側からもネジでそれぞれ固定される構成となっている。
【００８０】
ここで、回路基板４１は、全体略矩形の板状を呈し、その両主面には図３に示した回路のブロックとなるＬＳＩ等の種々のチップが取り付けられる。
【００８１】
シャーシ４２は、ステンレス等の金属により成形され、その主面部４２ａが大きく肉抜きされている、シャーシ４２においては、この主面部４２ａの上縁側、下縁側、及び図１６における右縁側から、それぞれ上方フランジ４２ｂ、下方フランジ４２ｃ、側方フランジ４２ｄが背面側ハーフ２ｂを臨む方向に形成されている。
【００８２】
この光ディスクドライブ３２は、４つの緩衝部材４５，４６，４７，４８を介してネジ止めによりシャーシ４２に取り付けられている。即ち、シャーシ４２の上方フランジ４２ｂ及び下方フランジ４２ｃと各緩衝部材４５〜４８には、ネジ４９，５０，５１，５２を貫通させるための孔部が形成されており、各ネジ４９〜５２をこれら各孔部に貫通させ光ディスクドライブ３２の対応する位置に形成されたネジ孔にねじ込むことにより、シャーシ４２に対して光ディスクドライブ３２が固定される。
【００８３】
ここで、光ディスクドライブ３２の筐体３２ｂとシャーシ４２の主面部４２ａとは直接接触しないようになっており、シャーシ４２に与えられた振動や衝撃が各緩衝部材４５〜４８を介して光ディスクドライブ３２に伝達されるようになっている。一方、シャーシ４２と回路基板４１との関係においては、上述のように回路基板４１の４隅部がシャーシ４２の主面部４２ａにネジ４３によって固定されていることから、シャーシ４２に与えられた振動や衝撃がそのまま回路基板４１に伝達されるようになっている。
【００８４】
各緩衝部材４５〜４８は、外部から筐体２に与えた衝撃が光ディスクドライブ３２に伝達するまでの時間を遅らせるためのものであり、例えばゴム、スポンジ、シリコン、軟質プラスチック等のある程度軟質の部材により成形される。尚、各緩衝部材４５〜４８は、筐体２に与えられた衝撃をある程度弱めて光ディスクドライブ３２に伝達する機能も有している。
【００８５】
尚、上述の軟質の部材からなる緩衝部材４５〜４８の代わりに、例えばバネ等の弾性体を設けてこの弾性体によって衝撃吸収機能をもたせることもできる。
また、ダンパー等を設けて、上述の緩衝部材４５〜４８と同様に、衝撃により弾性体に生じた振動を吸収する振動吸収機能をもたせることもできる。
さらに、これら衝撃吸収機能と振動吸収機能を併用してもよく、また例えばαゲル等の半流動性物質により同一の部材で２つの機能を兼用するようにしてもよい。
【００８６】
尚、上述の本実施の形態では、光ディスクドライブ３２と筐体２とをシャーシ４２を介して接続することとしているが、光ディスクドライブ３２と筐体２とを、シャーシ４２を介さないで接続する構成としてもよい。この場合は、ネジ４９〜５２を貫通させるための孔部を筐体２側に形成し、この孔部に対してネジ４９〜５２を挿入することにより、光ディスクドライブ３２を筐体２に対して各緩衝部材４５〜４８を介して取り付けることとすればよい。
【００８７】
図１７は、光ディスクドライブ３２の筐体３２ｂ内に配設される光学ヘッドの周辺の機構を表した図である。光ディスクドライブ３２の筐体３２ｂ内には、図１７Ａに示すように、光学ピックアップ７０が配設されている。
この光学ピックアップ７０は、２つの部材７１及び７２により構成され、上の部材７１の上面からはレンズ７４が見えている。
このレンズ７４は、光ディスク９の主面に対向するように位置される。
【００８８】
光学ピックアップ７０の上下の部材７１及び７２の内部には、図示しないが光ディスクに照射するレーザ光を発光させる半導体レーザ、レーザ光の光路や各種光学部品、そしてレーザ光を光ディスクに収束照射させるレンズ７４のフォーカスやトラッキング合わせのための移動を制御する２軸アクチュエータ、光ディスク９で反射したレーザ光を受光検出する受光素子等を有して成る。
【００８９】
また、図１７Ｂに示すように、光学ピックアップ７０を光ディスク９の半径方向に移動させるための駆動を行う送りモータ（スレッドモータ）７８と、その移動のガイドとなるレール７５及び７６とを有して成る。
具体的には、光学ピックアップ７０の下の部材７２がレール７５及び７６に沿ってスライドしてディスクの半径方向に移動する。この部材７２の送りモータ７８側には歯７３が形成され、歯車７９を介して送りモータ７８の駆動が伝達される。
【００９０】
また、光ディスク９の主面中央下側には、この光ディスク９を回転駆動するためのスピンドルモータ７７が配設される。
【００９１】
光学ヘッドとしての光学ピックアップは、スピンドルモータによって回転する光ディスク９に対して、対物レンズによるレーザ光の収束により光ディスク９の記録面の所定領域にレーザ光を照射することが可能となる距離間隔をもって、その主面に平行な方向に動作する。
そして、光ディスク９の記録トラックにレーザ光を照射することによる加熱を行って或いは光ディスク９の記録トラックで反射したレーザ光の信号を検出することによって、本体或いはサムネイルの画像データの記録或いは再生を行うようになっている。
【００９２】
そして、光学ピックアップは、レール（ガイドシャフト）７９に沿って光ディスク９の半径方向（図１７Ａ及び図１７Ｂの矢印方向）に移動する。具体的には、スレッドモータが所定の回転角だけ回転すると、光学ピックアップが光ディスク９に形成された各記録トラック上を光ディスク９の半径方向に移動する。
【００９３】
ここで、光ディスクドライブ３２全体に対して強い衝撃が加えられると、その筐体３２ｂやヘッドアーム７３がたわむことにより、光ディスク９の記録トラックに対する光学ヘッドの位置ずれが生じ、データ記録時に書き込み不良の原因となる。
【００９４】
このデジタルカメラ装置１は、図１８に示すように、フラッシュメモリー２９を有する構成としてもよい。図１８における実施の形態では、ＤＲＡＭ２４，ＤＲＡＭコントローラ２５，マイコン２８，フラッシュメモリー２９，及びＯＤＣ３１が相互に共通のバスによって接続されている。このような構成とすることにより、デジタルカメラ装置１においては、例えばデジタルカメラ装置１の機能をバージョンアップさせるために、このフラッシュメモリー２９に当該バージョンアップ用のプログラムを格納することが可能となる。具体的には、上記ＪＰＥＧ以外の方式で画像データを圧縮するプログラムが記録されている光ディスク９を光ディスクドライブ３２に装填し、光ディスクから当該プログラムをフラッシュメモリー２９に読み込ませることにより、機能の拡張を図ることができる。
【００９５】
即ち、デジタルカメラ装置１においては、各ブロックの制御をマイコン２８のＤＲＡＭ２８ａ内に格納されたソフトウエアプログラムにより行っているため、フラッシュメモリー２９に種々のバージョンアップ用のソフトウエアプログラムを格納させ、このソフトウエアプログラムでマイコン２８の代わり或いはマイコン２８を補助することとすればよい。
【００９６】
上述の本実施の形態のデジタルカメラ装置１によれば、光学系からの被写体の光信号がＣＣＤ撮像素子２１と、Ａ／Ｄ変換部と、データ圧縮手段と、データ変換により所定形式のデータに変換された後に光ディスク９に記録されるので、被写体の静止画像が記録されたこの光ディスク９をパーソナルコンピュータの光ディスクドライブに装填することで、撮像した静止画像を当該パーソナルコンピュータで容易に見ることができる。従って、撮影後にパーソナルコンピュータにおけるハードディスクやフロッピーディスク等に撮影した静止画像データを転送してコピーする必要がなくなり、このデータ転送に要する多くの時間と手間から解放される。
【００９７】
そして、特に前述のように追記型の光ディスクあるいは書き換え可能な光ディスク９を記録媒体として用いることにより、多数の画像を１枚の光ディスク９に記録することができる。
【００９８】
さらに、直径８０ｍｍの光ディスク９を用いた場合には、デジタルカメラ装置１を小型にできる利点を有すると共に、通常パーソナルコンピュータに装備された光ディスクドライブにおいて直径１２０ｍｍの光ディスクと同様に直径８０ｍｍの光ディスクも再生可能であるため、上述のように容易に画像を見ることができる利点を有している。
【００９９】
本発明のカメラ装置は、上述の実施の形態に限定されるものではなく、本発明の要旨を逸脱しない範囲でその他様々な構成が取り得る。
【図面の簡単な説明】
【０１００】
【図１】本発明を提供したデジタルカメラ装置の正面側からの外観斜視図である。
【図２】デジタルカメラ装置の背面側からの外観斜視図である。
【図３】デジタルカメラ装置の回路構成を示したブロック図である。
【図４】図３における光ディスクコントローラ内のブロック図である。
【図５】カメラブロックと周辺のブロック図である。
【図６】マイコンのアドレス空間を表した図である。
【図７】ＤＲＡＭのデータ領域を表した図である。
【図８】デジタルカメラ装置におけるデータ記録時の制御動作について説明するためのフローチャートである。
【図９】本体画像ファイルのファイル名を表した図である。
【図１０】本体画像ファイル及びサムネイル画像ファイルについてのファイル名、記録時刻、ファイルサイズ等についての情報を表した図である。
【図１１】光ディスクに記録された本体画像ファイル及びサムネイル画像ファイルの状態を説明する図である。
【図１２】デジタルカメラ装置における再生時のサムネイル画像ファイルの読み出し制御を説明するためのフローチャートである。
【図１３】サムネイル管理テーブルを表した図である。
【図１４】光ディスクからサムネイル画像ファイルがＤＲＡＭ上の所定領域に格納された状態を表した図である。
【図１５】ＬＣＤパネル上にサムネイル等が表示された状態を表した図である。
【図１６】デジタルカメラ装置の機械的な構成を説明するための分解斜視図である。
【図１７】光ディスクドライブの筐体内部に配設される光学ヘッドについての機構を表した図である。
【図１８】デジタルカメラ装置における他の実施の形態を表したブロック回路図である。
【符号の説明】
【０１０１】
１  デジタルカメラ装置、２  筐体、８  カートリッジ、９  磁気ディスク、１１  ＬＣＤパネル、２４  ＤＲＡＭ、２５  ＤＲＡＭコントローラ、２８  マイコン、２９  フラッシュメモリー、３１  光ディスクコントローラ、３２  光ディスクドライブ、３４  増幅回路、３５  フリップフロップ、３６  ＡＮＤ回路、４１  回路基板、４２  シャーシ、４５〜４８  緩衝部材、６１  筐体、７０  光学ピックアップ
【図１】
2008118642.tif 000003
【図２】
2008118642.tif 000004
【図３】
2008118642.tif 000005
【図４】
2008118642.tif 000006
【図５】
2008118642.tif 000007
【図６】
2008118642.tif 000008
【図７】
2008118642.tif 000009
【図８】
2008118642.tif 000010
【図９】
2008118642.tif 000011
【図１０】
2008118642.tif 000012
【図１１】
2008118642.tif 000013
【図１２】
2008118642.tif 000014
【図１３】
2008118642.tif 000015
【図１４】
2008118642.tif 000016
【図１５】
2008118642.tif 000017
【図１６】
2008118642.tif 000018
【図１７】
2008118642.tif 000019
【図１８】
2008118642.tif 000020